(57)【特許請求の範囲】
【請求項１】
寝台の上部に載置される枕の高さを調整する枕の高さ調整装置であって、内部に液体が充填されるとともに、液体の充填量に応じて高さを変化させる袋状の枕と、内部に液体が貯留されるとともに、ヘッドの調整が可能な貯留タンクと、該貯留タンクと前記枕とを接続する配管とを備えたことを特徴とする枕の高さ調整装置。
【請求項２】
前記貯留タンクを、移動手段により上下方向に移動可能かつ所定の位置に位置決め可能としたことを特徴とする請求項１に記載の枕の高さ調整装置。
【請求項３】
寝台の上部に載置される枕の高さを調整する枕の高さ調整装置であって、内部に液体が充填されるとともに、液体の充填量に応じて高さを変化させる袋状の枕と、内部に液体が貯留される貯留タンクと、該貯留タンクと前記枕の内部とを接続する配管と、該配管の途中に設けられるとともに、前記貯留タンク内の液体を前記枕の内部に圧送し、又は枕の内部の液体を貯留タンク内に圧送するポンプとを備えたことを特徴とする枕の高さ調整装置。
【請求項４】
前記貯留タンクに冷却装置を連設し、該冷却装置により前記貯留タンク内に貯留される液体の温度を調整するように構成したことを特徴とする請求項１から３の何れかに記載の枕の高さ調整装置。
【発明の詳細な説明】
【０００１】
【発明の属する技術分野】
本発明は、枕の高さ調整装置に関し、特に、寝台、蒲団等の上部に載置される枕の高さを任意の位置に調整することができる枕の高さ調整装置に関するものである。
【０００２】
【従来の技術】
寝台、蒲団等の上部に載置され、就寝時に頭部を支えるために使用される枕には種々のタイプのものがあり、例えば、袋状のカバーの内部に籾殻、スポンジ、羽毛、真綿、ビーズ等の充填物を所定量詰め込んで膨らみを持たせたもの等が知られている。
【０００３】
【発明が解決しようとする課題】
しかしながら、このような構成の枕にあっては、充填物の詰め込み量によって高さが決定されてしまうため、寝る姿勢（横臥、仰臥等）によって高さを変えることができない。このため、寝る姿勢によっては首筋に負担がかかり、寝違えなどを起こす原因となり、健康を害する虞がある。
【０００４】
本発明は、前記のような従来のもののもつ問題を解決したものであって、寝る姿勢によって枕の高さを変えることができ、これにより枕の高さによって寝違えを起こすのを阻止し、健康を守ることができる枕の高さ調整装置を提供することを目的とするものである。
【０００５】
【課題を解決するための手段】
本発明は、上記のような課題を解決するために、寝台の上部に載置される枕の高さを調整する枕の高さ調整装置であって、内部に液体が充填されるとともに、液体の充填量に応じて高さを変化させる袋状の枕と、内部に液体が貯留されるとともに、ヘッドの調整が可能な貯留タンクと、該貯留タンクと前記枕とを接続する配管とを備えた手段を採用したものである。また、前記貯留タンクを、移動手段により上下方向に移動可能かつ所定の位置に位置決め可能とした手段を採用したものである。さらに、寝台の上部に載置される枕の高さを調整する枕の高さ調整装置であって、内部に液体が充填されるとともに、液体の充填量に応じて高さを変化させる袋状の枕と、内部に液体が貯留される貯留タンクと、該貯留タンクと前記枕の内部とを接続する配管と、該配管の途中に設けられるとともに、前記貯留タンク内の液体を前記枕の内部に圧送し、又は枕の内部の液体を貯留タンク内に圧送するポンプとを備えた手段を採用したものである。さらに、前記貯留タンクに冷却装置を連設し、該冷却装置により前記貯留タンク内に貯留される液体の温度を調整するように構成した手段を採用したものである。
【０００６】
【作用】
本発明は、上記のような手段を採用したことにより、貯留タンク内の液体を配管を介して枕の内部に充填すると、液体の充填量に応じて枕が高さを変化させることになる。この場合、貯留タンクのヘッドを調整することにより液体の圧力が変化し、枕の内部に充填される液体の量が変化することになる。さらに、貯留タンクを移動手段により上下方向に移動させ、かつ所定の位置に位置決めすることにより、ヘッドの調整が可能となる。さらに、ポンプを作動させると、貯留タンク内の液体が配管を介して枕の内部に圧送され、圧送される液体の量に応じて枕が高さを変化させることになる。この場合、ポンプの圧力を調整することにより、枕の内部への液体の充填量が変化し、枕の高さが変化することになる。さらに、冷却装置により貯留タンク内の液体の温度を調整することにより、枕の内部に充填される液体の温度を一定に保つことができることになる。
【０００７】
【発明の実施の形態】
以下、図面に示す本発明の実施の形態について説明する。
図１には、本発明による枕の高さ調整装置の第１の実施の形態が示されていて、この枕の高さ調整装置は、寝台１の上部に載置されるとともに、内部に液体１０が充填される枕２と、枕２の内部に充填される液体１０が貯留される貯留タンク４と、貯留タンク４と枕２との間を接続する配管６とを備えている。
【０００８】
枕２は、袋状をなすものであって、内部に水等の液体１０が充填されるようになっている。枕２は、伸縮自在な素材からなるものであって、内部に充填される液体１０の量に応じて伸縮して、高さを変化させるようになっている。枕２の一端部には液体１０の流入口３が設けられるようになっている。
【０００９】
貯留タンク４は、密閉された容器状をなすものであって、内部に水等の液体１０が所定量貯留されるようになっている。貯留タンク４の下部には液体１０の流出口５が設けられ、この流出口５は配管６を介して枕２の流入口３に接続されるようになっている。
【００１０】
貯留タンク４は、支柱７に取り付けられて、支柱７に沿って上下方向に移動自在、かつ所定の位置に位置決め可能となっている。この場合、貯留タンク４は、移動手段により上下方向に移動可能、かつ所定の位置に位置決め可能となっている。
【００１１】
移動手段としては、支柱７側にラックギアを設け、このラックギアと噛み合い係合するピニオンギアを貯留タンク４側に設け、ピニオンギアを回転させることにより貯留タンクをラックギアに沿って上下動させる方法、支柱の上端部に滑車等の巻き上げ部材を設け、この巻き上げ部材に巻き上げワイヤーを巻回させてその一端を貯留タンク側に連結し、巻き上げ部材を作動させることにより巻き上げワイヤーを介して貯留タンクを上下動させる方法等が挙げられる。この場合、ピニオンギア及び巻き上げ部材は、手動で作動させても良いし、モーター等を使用して電気的に作動させても良い。なお、移動手段は、上記に掲げるものに限定することなく、他の周知の移動手段であっても良い。
【００１２】
従って、貯留タンク４は、移動手段により上下方向の位置を調整することにより、貯留タンク４内に貯留されている液体１０のヘッド、すなわち枕２に供給する液圧を調整できるものである。
【００１３】
貯留タンク４には、ゼベック、ペルチェ、トムソン等の周知の冷却装置８が連設され、この冷却装置８によって貯留タンク４内に貯留される液体１０の温度が調整され、貯留タンク４から枕２に供給する液体１０の温度が一定に保たれるようになっている。冷却装置８は、貯留タンク４と一体に移動可能としても良いし、貯留タンク４から離れた位置に設置して、貯留タンク４のみを上下動させるようにしても良い。
【００１４】
次に、上記のように構成したこの実施の形態による枕の高さ調整装置の作用について説明する。
まず、貯留タンク４を移動手段によりある一定の高さに位置決めすると、貯留タンク４内の液体１０が配管６を介して枕２の内部に供給され、その液圧によって枕２が変形して高さを変化させ、液体１０の充填量に応じた高さに調整される。
【００１５】
そして、この状態から移動手段により貯留タンク４を上方に移動させると、貯留タンク４内の液圧が高まって貯留タンク４内の液体１０が配管６を介して枕２の内部に供給され、その液圧によって枕２が高くなる方向に変形して高さを変化させ、液体１０の充填量に応じた高さに調整される。
【００１６】
そして、貯留タンク４を移動手段により下方に移動させると、枕２の内部の液体１０が配管６を介して貯留タンク４内に逆流し、枕２の内部の液体１０の量が減少し、枕２が低くなる方向に変形して高さを変化させ、液体１０の充填量に応じた高さに調整される。
【００１７】
従って、貯留タンク４の上下方向の位置を変化させることにより、枕２の高さを変えることができるので、寝る姿勢（横臥、仰臥等）によって貯留タンク４の上下方向の位置を変えて枕２の高さを変えることにより、首筋に負担がかかるのを避けることができることになる。従って、寝る姿勢によって首筋に負担がかかり、寝違えるようなことがなくなるので、寝る姿勢によって健康を害することがなくなる。また、冷却装置８によって枕２の内部に充填される液体１０の温度を一定に保つことができるので、快適な睡眠を提供することもできることになる。
【００１８】
図２には、本発明による枕の高さ調整装置の第２の実施の形態が示されていて、この枕の高さ調整装置は、貯留タンク４と枕２との間を配管６で接続し、その配管６の途中にポンプ９を設けたものであって、その他の構成は前記第１の実施の形態に示すものと同様である。
【００１９】
そして、この実施の形態に示す枕の高さ調整装置にあっては、ポンプ９を正回転させると、貯留タンク４内の液体１０が配管６を介して枕２の内部に圧送され、枕２の内部に所定量の液体１０が充填され、その充填量に応じて枕２が高くなる方向に変形し、充填量に応じた高さに調整される。
【００２０】
また、ポンプ９を逆回転させると、枕２の内部の液体１０が配管６を介して貯留タンク４内に圧送され、枕２の内部の液体１０の量が減少し、枕２が低くなる方向に変形して高さを変化させ、液体１０の充填量に応じた高さに調整される。
【００２１】
従って、ポンプ９を正回転又は逆回転させることにより、枕２の高さを変えることができるので、寝る姿勢（横臥、仰臥等）によってポンプ９を作動させて枕２の高さを変えることにより、首筋に負担がかかるのを避けることができることになる。従って、寝る姿勢によって首筋に負担がかかり、寝違えるようなことがなくなるので、寝る姿勢によって健康を害することがなくなる。また、この実施の形態においても、冷却装置８によって枕２の内部に充填される液体１０の温度を一定に保つことができるので、快適な睡眠を提供することもできることになる。
【００２２】
【発明の効果】
本発明は、請求項１のように構成したことにより、貯留タンクのヘッドを調整することにより、枕の内部に充填する液体の量が変化し、その充填量に応じて枕が高さを変化させることになる。従って、寝る姿勢（横臥、仰臥等）によって貯留タンクのヘッドを調整して枕の高さを変えることにより、首筋に負担がかかるのを避けることができることになる。この結果、寝る姿勢によって首筋に負担がかかって寝違えるようなことがなくなり、寝る姿勢によって健康を害することがなくなる。
また、請求項２のように構成したことにより、移動手段によって貯留タンクの上下方向の位置を調整して、貯留タンクのヘッドを調整することにより、枕の内部に充填する液体の量が変化し、その充填量に応じて枕が高さを変化させることになる。従って、寝る姿勢（横臥、仰臥等）によって移動手段により貯留タンクのヘッドを調整して枕の高さを変えることにより、首筋に負担がかかるのを避けることができることになる。この結果、寝る姿勢によって首筋に負担がかかって寝違えるようなことがなくなり、寝る姿勢によって健康を害することがなくなる。
さらに、請求項３のように構成したことにより、ポンプを作動させることにより、枕の内部に充填する液体の量が変化し、その充填量に応じて枕が高さを変化させることになる。従って、寝る姿勢（横臥、仰臥等）によってポンプを作動させて枕の高さを変えることにより、首筋に負担がかかるのを避けることができることになる。この結果、寝る姿勢によって首筋に負担がかかって寝違えるようなことがなくなり、寝る姿勢によって健康を害することがなくなる。
さらに、請求項４のように構成したことにより、枕の内部に充填する液体の温度を一定に保つことができるので、快適な睡眠を提供することができることになる。
【図面の簡単な説明】
【図１】本発明による枕の高さ調整装置の第１の実施の形態を示した概略図である。
【図２】本発明による枕の高さ調整装置の第２の実施の形態を示した概略図である。
【符号の説明】
１……寝台
２……枕
３……流入口
４……貯留タンク
５……流出口
６……配管
７……支柱
８……冷却装置
９……ポンプ
１０……液体
【図１】
0003768453.tif 000002
【図２】
0003768453.tif 000003